(57)【要約】【課題】  改質水および原水使用時のいずれも散水板全面から吐水可能なシャワーヘッドを提供する。【解決手段】  改質水シャワーヘッド１は、原水を改質水化する薬剤室１５を備え、原水吐水と改質水吐水の切替可能で、薬剤室１５はシャワーヘッドの中心部に配置され、原水吐水時には、薬剤室周囲に設けられた原水流路を通った原水が散水板５全面から吐水され、改質水吐水時には、薬剤室を通過して改質水化された改質水が薬剤室下流側に設けられた逆止弁９を押し下げて散水板５の全面から吐水される。【選択図】        図４
2005279084.tif 000002
【特許請求の範囲】
【請求項１】
原水を改質する薬剤室を備え、原水吐水と改質水吐水の切替可能なシャワーヘッドであって、前記薬剤室はシャワーヘッドの中心部に配置され、原水吐水時には薬剤室周囲に設けられた原水流路を原水が通過して散水板の全面から吐水され、改質水吐水時には薬剤室を通過して改質された改質水が前記散水板の全面から吐水されることを特徴とする改質水シャワーヘッド。
【請求項２】
請求項１に記載の改質水シャワーヘッドにおいて、前記薬剤室下流側には逆止弁が設けられ、改質水吐水時にはこの逆止弁を押し下げて改質水が前記散水板の全面から吐水されることを特徴とする改質水シャワーヘッド。
【請求項３】
請求項１に記載の改質水シャワーヘッドにおいて、このシャワーヘッドは吐水ユニットと把持部からなり、吐水ユニットは把持部に対して取替え可能であることを特徴とする改質水シャワーヘッド。  
【発明の詳細な説明】
【技術分野】
【０００１】
本発明は、水道水等の原水を改質して使用することが可能な改質水シャワーヘッドに関する。
【背景技術】
【０００２】
通常、シャワーに使用される原水は水道水であり、消毒剤として使用された塩素が残留している。塩素を含有する原水をそのまま使用して頭髪や身体を洗うとパサパサ感が残ることがあるため、原水から残留塩素を除去して改質され、この改質水をシャワーに使用することが提案されている。
【０００３】
例えば特許文献１には、シャワーヘッド部に濾材を充填したカートリッジを収容し、また原水流路には切替室を形成しておき、改質水使用時には上記カートリッジを通過して多数の太孔を備えた散水板から吐水させ、原水使用時には上記カートリッジを通過しない多数の細孔を備えた別の散水板から吐水させることができる浴室用シャワーヘッドが記載されている。
【０００４】
また特許文献２には、改質水カートリッジを収容するシャワーヘッドであって、このカートリッジ収容部には原水吐水用の原水流路と改質水吐水用の改質水化流路が形成され、また原水を原水流路と改質水化流路のいずれかに誘導する切替機構が形成され、さらに、原水が改質水カートリッジの外部を通るバイパス流路と、バイパス流路を通った原水が改質水と合流する混合部が形成された改質水機能付きシャワーヘッドが開示されている。
【０００５】
【特許文献１】特開平８−１０３６９０号公報
【特許文献２】特開２０００−３００４５８号公報
【発明の開示】
【発明が解決しようとする課題】
【０００６】
特許文献１のシャワーヘッドでは、原水吐水用散水板の位置がシャワーヘッド先端でないため、原水を使用する際の使い勝手が悪く、原水および改質水のそれぞれの吐水時の散水板が違うため、シャワーヘッド自体が大きくなり、意匠性に劣ること等の問題点がある。
【０００７】
また、特許文献２のシャワーヘッドでは、原水散水部と改質水散水部とがはっきりと区分けされ、シャワーとしてのたっぷり感が損なわれ、浴槽や浴室を水洗する時も原水の散水域が狭く作業性に劣ること、改質水散水時においては散水板中央部からの散水がないため、シャワー使用時の中抜け感があり、快適性に欠ける等の問題点がある。
【課題を解決するための手段】
【０００８】
本発明は、原水使用時、改質水使用時においても散水板の全面から吐水させ、また切替操作も容易に行える改質水シャワーヘッドを提供することを目的とする。
【０００９】
上記課題を解決するため、本発明に係る改質水シャワーヘッドは、原水を改質水化する薬剤室を備え、原水吐水と改質水吐水の切替可能で、前記薬剤室はシャワーヘッドの中心部に配置され、原水吐水時には、薬剤室周囲に設けられた原水流路を原水が通過して散水板の全面から吐水され、改質水吐水時には、薬剤室を通過して改質水化された改質水が原水と同様に散水板の全面から吐水される構成とした。
このような構成とすることで、吐水形態の切替をより使い勝手のよいものに向上させ、中抜け感をなくしシャワーの使用感を損なわないシャワーヘッドを提供できる。
【００１０】
前記薬剤室下流側には逆止弁を設け、改質水吐水時にはこの逆止弁を押し下げて吐水する構成とすることが好ましい。このようにすることで、薬剤室に収納する薬剤（例えばビタミンＣ）の消費を抑えることができる。
【００１１】
尚、シャワーヘッドを吐水ユニットと把持部とで構成し、吐水ユニットを把持部に対して取替え可能とすることで、意匠性や吐水形態が汎用性に富むシャワーヘッドとすることができる。  
【発明の効果】
【００１２】
本発明の改質水シャワーヘッドは、薬剤室がシャワーヘッドの中心部に配置され、原水も改質水も、散水板の全面から吐水される。したがって、したがって使用者には中抜け感がなくたっぷり感をもってシャワーを使用することができ、また浴槽や浴室を清掃する際にも広範囲に強い吐水を行なうことができる。
【００１３】
また、薬剤室内が逆止弁によって一定の圧力を受けるようにすれば、薬剤中に水の流路が形成されて特定の部分だけ水が流れるということがなく、水は薬剤室内を均一に通過して効率よく残留塩素を処理することができる。
【発明を実施するための最良の形態】
【００１４】
以下に本発明の実施の形態を添付図面に基づいて説明する。本発明に係る改質水シャワーヘッドの断面図、図２は同改質水シャワーヘッドの吐水ユニットの分解斜視図である。改質水シャワーヘッド１は吐水ユニット２と把持部３とから構成されていて、把持部３内側の原水供給路４を通って水道水等の原水が供給され、吐水ユニット２に設けられた散水板５から吐水される。
【００１５】
前記吐水ユニット２は、散水板５を有する吐水部材６、改質水化用薬剤を収容するカートリッジ７（原水流入用切り欠き部７ａを有する）、カートリッジ７と組み合わされて薬剤室を形成する台座８、薬剤室への原水逆流防止と薬剤室へ流入する原水に一定の圧力を掛けるための逆止弁９、逆止弁支持用スプリング１０、複数の原水通過孔を有し回動自在に原水の流入先を切り替えるための原水振分部材１１、同じく複数の原水通過孔を有し原水振分部材と協働して原水の流入先を決定する固定板１２、原水供給路４から吐水ユニット２へ原水を導入するための原水導入部材１３、および吐水ユニット２全体を覆いシャワー使用者が左右に回動させることで原水吐水、改質水吐水、さらにはこれらの混合水吐水を可能とするキャップ部材１４からなる。
【００１６】
前記キャップ部材１４と原水振分部材１１とは協働する。したがってシャワーを切り替えたい時にキャップ部材１４を左右に回すと、原水振分部材１１も一緒に回転し、固定板１２および原水導入部材１３は回転しない。
【００１７】
例えば原水吐水時には３つの原水供給孔１１ａが固定板１２の原水供給孔１２ａ、１２ａ’と連通した状態となっている（原水供給孔１２ａ’は後述の混合水吐水用である）。ここで改質水吐水に切り替えたい場合、キャップ部材１４を捻ると原水振分部材１１が協働し、今度は３つの原水供給孔１１ｂが固定板１２の３つの原水供給孔１２ｂ（図示では２つ示している）と連通した状態となり脱塩素処理された改質水が吐水される。
【００１８】
一方、吐水部材６は薬剤充填等の目的で取外しが可能としてある。散水板５を上向きにして吐水部材６を取外し、続いて逆止弁支持用スプリング１０、逆止弁９、および台座８を外すとカートリッジ７が見えるので、そこへ薬剤を充填することができる。
吐水ユニット２の外側には指掛り部２８を形成しているため、指掛り部２８に指を引っ掛けて吐水形態を変更することができ、操作性を向上させることができる。また、薬剤充填室を吐水ユニット側に形成したことにより把持部の形状を自由に形成できることになり、意匠性が向上する。
【００１９】
図３は吐水部材の取付け方法を説明した断面図であり、吐水部材６の側面部には複数個の突起部６ａが設けられ、これら突起部６ａはキャップ部材１４の内壁に設けられたＬ字型溝１４ａと矢印で示すように位置合わせし、右回転させて正確に嵌合することができる。この方法によれば、吐水部材６を容易に取付け取外しすることができるため薬剤の補填や内部清掃を簡単に行なうことができる。
【００２０】
図４は改質水シャワーヘッドの吐水ユニットの改質水吐水時の断面図であり、カートリッジ７と台座８とが組み合わされて形成された薬剤室１５には改質水処理用の薬剤を収容する。この薬剤としては原水中の残留塩素を除去できるものであれば特に制限はない。その例としては粒状または粉状の活性炭、粉状または液状の亜硫酸カルシウムや炭酸水素ナトリウム、ビタミンＣ（アスコルビン酸）粒剤が挙げられるが、中でもビタミンＣ粒剤が好ましい。ビタミンＣ粒剤を使用すると、水に柔らかさが出てシャンプーや石鹸の泡立ちが良くなる。また、残留塩素による髪や肌のパサパサ感がなくなりリンス的な作用も得ることができる。
【００２１】
ここで水の流れを矢印で示すと、原水は原水導入部材１３内部から固定板１２の原水供給孔１２ｂ、原水振分部材１１の原水供給孔１１ｂを順に通過し、カートリッジ７の切り欠き部７ａ（図１参照）を経由して薬剤室１５に流入する。なお、断面図の都合上原水供給孔１１ｂ、１２ｂは一箇所のみ示されているが、各孔が各三箇所あいていることは図２に示した通りである。
尚、ばね２２は固定板１２を原水振分部材１１へ支持させている。また、Ｏリング２３はキャップ部材１４と原水導入部材１３を、Ｏリング２４は固定板１２と原水導入部材１３を、Ｏリング２５は原水振分部材１１と吐水部材６およびキャップ部材１４を、Ｏリング２６は台座８と原水振分部材１１を、Ｏリング２７は台座８の開口と逆止弁９をそれぞれシールするために設けている。
【００２２】
薬剤室１５内で改質水化された水は逆止弁９を水圧で押し下げて流出し散水板５の全面から吐水される。したがって、中抜け感がなくたっぷり感を使用者にあたえることができる。
【００２３】
また薬剤室１５は逆止弁９によって一定の圧力を受けているため、薬剤中に水の流路が形成されて特定の部分にだけ水が流れるということがなく、水は薬剤室内を均一に通過して効率よく残留塩素を処理することができる。
【００２４】
なおカートリッジ７については、他の形式のものも使用可能である。図５は、本発明に係る薬剤室用カートリッジの他の例を示す断面図である。このカートリッジ７は天井部２０に開口部２１を有する形状としてあり、原水供給孔１１ａから供給される原水は開口部２１から薬剤室１５へ流入する。このような形態のカートリッジは水道水の圧力が弱い家庭でこの様な改質水シャワーを使用する場合に有効である。
【００２５】
図６は改質水シャワーヘッドの吐水ユニットの原水吐水時の断面図である。水の流れを矢印で示すと、原水は原水導入部材１３内部から固定板１２の原水供給孔１２ａ、１２ａ’、原水振分部材１１の原水供給孔１１ａを順に通過し散水板５の全面から吐水される。したがって、浴槽や浴室を清掃する際には広範囲に強い吐水を行なうことができる。更に、逆止弁９にて薬剤室１５を塞いでいるため、原水吐水を使用している最中であっても無駄に薬剤が流出することがなく、薬剤を長持ちさせることができる。
【００２６】
原水と改質水の混合水を使用したい場合には、固定板１２の幅広の原水供給孔１２ａ’に原水供給孔１１ａの一つが連通し、かつ、原水供給孔１２ｂが原水供給孔１１ｂと連通する位置に原水振分部材１１を合わせる。すると、原水は原水供給孔１１ａの一つを通って吐水部材６へ送られ、一方、改質水も上記の流れで逆止弁９を一部押し下げて給水部材６へ送られる。こうして給水部材６へ送られた原水と改質水とは同時に散水板５から吐水される。
【産業上の利用可能性】
【００２７】
本発明に係る改質水シャワーヘッドは、水道水等の原水中に含まれる残留塩素を効率よく処理して改質水化し、この改質水を吐水することができるとともに、浴槽や浴室を清掃する際には広範囲に強い原水の吐水を行なうことができる。したがって、一般家庭用はもとより、美容院、理髪店、病院等のシャワー設備に好適に用いることができる。特に、ビタミンＣを使って改質水化を行なえば、シャンプーや石鹸の泡立ちが良くなり、髪や肌を艶やかにするリンス効果もあるため美容用シャワーとしての利用が期待される。
【図面の簡単な説明】
【００２８】
【図１】本発明に係る改質水シャワーヘッドの断面図
【図２】同改質水シャワーヘッドの吐水ユニットの分解斜視図
【図３】吐水部材の取付け方法を説明した断面図
【図４】同改質水シャワーヘッドの吐水ユニットの改質水吐水時の断面図
【図５】薬剤室用カートリッジの他の例を示す断面図
【図６】シャワーヘッドの吐水ユニットの原水吐水時の断面図
【符号の説明】
【００２９】
１…シャワーヘッド、２…吐水ユニット、３…把持部、４…原水供給路、５…散水板、６…吐水部材、６ａ…突起部、７…カートリッジ、７ａ…切り欠き部、８…台座、９…逆止弁、１０…逆止弁支持用スプリング、１１…原水振分部材、１１ａ、１１ｂ…原水供給孔、１２…固定板、１２ａ、１２ａ’、１２ｂ…原水供給孔、１３…原水導入部材、１４…キャップ部材、１４ａ…Ｌ字型溝、１５…薬剤室、２０…カートリッジ天井部、２１…カートリッジ開口部。
【図１】
2005279084.tif 000003
【図２】
2005279084.tif 000004
【図３】
2005279084.tif 000005
【図４】
2005279084.tif 000006
【図５】
2005279084.tif 000007
【図６】
2005279084.tif 000008